(57)【要約】【課題】ＬＣＤ駆動回路からモニタまでの距離が遠くなることによるモニタに表示される画像の画質の低下を抑制しながらも、モニタに対する熱の影響を低減する。【解決手段】制御基板２７は、モニタ２の各画素を駆動することでモニタ２に画像を表示するＬＣＤ駆動回路を具備し、少なくとも画像の表示に伴って発熱する発熱部品を有する。電源基板２６は制御基板２７に電源供給する電源回路を具備しており、電源回路は、電源基板２６の一表面から突出する形で電源基板２６に実装される電源トランス３１を有する。モニタ２は、電源トランス３１側を背面とするように配置された電源基板２６の前面側に配置されている。制御基板２７は、モニタ２との間に電源基板２６を介在させるように電源基板２６におけるモニタ２が配置されている部位の背面側において電源基板２６からの電源トランス３１の高さ寸法ｈ１内に配置されている。【選択図】図１
2008172533.tif 000002
【特許請求の範囲】
【請求項１】
子機との間で通話が可能なインターホン装置であって、液晶表示器からなり子機に設けられたカメラで撮像された画像を表示するモニタと、子機からの映像信号を受けてモニタの各画素を駆動することでモニタに画像を表示するＬＣＤ駆動回路を具備し少なくとも画像の表示に伴って発熱する発熱部品を有した制御基板と、制御基板に電源供給する電源回路を具備した電源基板とを器体内に備え、電源回路は、電源基板の一表面から突出する形で電源基板に実装される電源トランスを有し、モニタは、電源トランス側を背面とするように配置された電源基板の前面側に配置されており、制御基板は、モニタとの間に電源基板を介在させるように電源基板におけるモニタが配置されている部位の背面側において電源基板からの電源トランスの高さ寸法内に配置されていることを特徴とするインターホン装置。
【発明の詳細な説明】
【技術分野】
【０００１】
本発明は、子機との間で通話が可能なインターホン装置に関するものである。
【背景技術】
【０００２】
従来から、この種のインターホン装置として、モニタを備えており、来訪者を撮像するカメラが設けられた子機に接続されることによって、子機のカメラで撮像された画像を表示することができるものが提供されている。モニタは、インターホン装置の薄型化を可能とするために、一般に液晶表示器（以下、ＬＣＤという）から構成されている（たとえば特許文献１参照）。
【０００３】
この種のインターホン装置１は、たとえば図５に示すように、前面に開口部を有する箱状に形成されたボディ３と、ボディ３の前面に覆着されるカバー４とで構成される器体５を備え、通話用のスピーカ６およびマイクロフォン（図示せず）と、上記モニタ２と、回路基板４８に種々の電気部品が実装されて成る回路ブロック８とが器体５内に収納された構成を有する。
【０００４】
回路ブロック８は少なくとも、子機からの映像信号を駆動信号（たとえばＲＧＢ信号）に変換してモニタ２に送信しモニタ２の各画素を駆動することによりモニタ２に画像を表示するＬＣＤ駆動回路と、電源トランス３１を有し各回路に電源供給する電源回路とを１枚の回路基板４８に具備しており、回路基板４８の前面側にモニタ２が配設されている。ここにおいて、ＬＣＤ駆動回路からモニタ２までの距離が遠くなるほど、ＬＣＤ駆動回路からモニタ２に送信される駆動信号の減衰や駆動信号へのノイズの重畳が生じやすくなり、モニタ２に表示される画像の画質が低下するので、モニタ２に表示される画像の画質の低下を抑制するために、ＬＣＤ駆動回路は回路基板４８におけるモニタ２付近に形成されていることが多い。
【特許文献１】特開２００３−６９６８１号公報（第３頁、図１）
【発明の開示】
【発明が解決しようとする課題】
【０００５】
しかし、ＬＣＤ駆動回路は、モニタ２の多数の画素のうち駆動する画素を切り替えるスイッチング動作などを行うためにスイッチング素子等の比較的発熱量が多い発熱部品を有しており、上述のように回路基板４８におけるモニタ２付近にＬＣＤ駆動回路を構成する発熱部品が実装されていると、これらの発熱部品で発生した熱がモニタ２に伝わりやすく、結果的に、熱の影響でモニタ２の寿命が短くなるなどの不具合を生じる可能性がある。
【０００６】
本発明は上記事由に鑑みて為されたものであって、ＬＣＤ駆動回路からモニタまでの距離が遠くなることによるモニタに表示される画像の画質の低下を抑制しながらも、モニタに対する熱の影響を低減することができることができるインターホン装置を提供することを目的とする。
【課題を解決するための手段】
【０００７】
請求項１の発明は、子機との間で通話が可能なインターホン装置であって、液晶表示器からなり子機に設けられたカメラで撮像された画像を表示するモニタと、子機からの映像信号を受けてモニタの各画素を駆動することでモニタに画像を表示するＬＣＤ駆動回路を具備し少なくとも画像の表示に伴って発熱する発熱部品を有した制御基板と、制御基板に電源供給する電源回路を具備した電源基板とを器体内に備え、電源回路が、電源基板の一表面から突出する形で電源基板に実装される電源トランスを有し、モニタが、電源トランス側を背面とするように配置された電源基板の前面側に配置されており、制御基板が、モニタとの間に電源基板を介在させるように電源基板におけるモニタが配置されている部位の背面側において電源基板からの電源トランスの高さ寸法内に配置されていることを特徴とする。
【０００８】
この構成によれば、制御基板とモニタとの間には電源基板が介在するので、制御基板に実装された発熱部品で熱が発生しても、この熱は電源基板で遮断され、モニタに対する熱の影響が低減される。しかも、制御基板は、電源基板におけるモニタが配置されている部位の背面側に配置されているので、ＬＣＤ駆動回路からモニタまでの距離が遠くなることによるモニタに表示される画像の画質の低下を抑制することができる。また、制御基板は、電源基板からの電源トランスの高さ寸法内に配置されているので、制御基板を電源基板と別に設けながらも制御基板によって器体のサイズが大きくなることはない。
【発明の効果】
【０００９】
本発明は、モニタに表示される画像の画質の抑制を防止しながらも、モニタに対する熱の影響を低減できるという利点がある。
【発明を実施するための最良の形態】
【００１０】
本実施形態では、宅内の壁に取り付けられ、宅外に設置された子機に対して信号線を用いて接続されることにより、子機との間で通話可能なインターホンシステムを構築する親機としてのインターホン装置を例として、インターホン装置の構成を説明する。このインターホン装置１は図２に示すようにモニタ２を備えており、来訪者を撮像するカメラ（図示せず）が設けられた子機Ｂ（図４参照）に接続されることにより、子機Ｂのカメラで撮像された画像をモニタに表示することができる。
【００１１】
インターホン装置１を子機Ｂと共に用いることにより構築されるインターホンシステムの動作について簡単に説明する。インターホン装置１は、来訪者により子機Ｂからの呼び出しがあった場合に、子機Ｂからの呼出音を後述のスピーカ６から出力するとともに子機Ｂのカメラで撮像された映像をモニタ２に表示する。そして、後述する通話用の操作ハンドル１８を押操作するとインターホン装置１において子機Ｂとの通話が可能な状態になる。通話用の操作ハンドル１８を再度押操作すれば子機Ｂとの通話を終了する。さらに、本実施形態のインターホン装置１は録画機能を有しており、後述の押し釦１７の操作によって、モニタ２に表示される画像を録画しておいて後で再生することができる。なお、上述のインターホン装置１が別室に設置された副親機としてのインターホン装置と接続されている場合には、副親機との間で内線通話を行うことや、上述のインターホン装置１（親機）を介して副親機と子機Ｂとの間で通信可能とすることもできる。
【００１２】
以下では、インターホン装置１を壁に取り付けた状態の上下左右を上下左右とし、図２および図３を参照してインターホン装置１の構成を説明する。
【００１３】
インターホン装置１は、前面（図２の上面）に開口部を有する箱状に形成されたボディ３と、ボディ３の前面に覆着されるカバー４とで構成される器体５を備え、子機Ｂからの呼出音の出力や子機Ｂとの通話に用いるスピーカ６と、子機Ｂとの通話に用いるマイクロフォン７と、ＬＣＤからなるモニタ２と、回路基板に種々の電気部品が実装されて成る回路ブロック８とが器体５内に収納された構成を有する。
【００１４】
ボディ３は、開口部が矩形状に形成されており、後壁前面における四隅および中央部に、それぞれカバー４との結合用の組立ねじ（図示せず）が挿通される組立孔９が形成された複数個のボディ側ボス１０が立設されている。さらにボディ３の後壁には、信号線Ｌｓ（図４参照）が接続される信号端子部１１を器体５の外側に露出させる信号端子配置孔１２と、商用電源に接続された電源線Ｌｐ（図４参照）が接続される電源端子部１３を器体５の外側に露出させる電源端子配置孔１４とが貫設されており、器体５の背面側において信号線Ｌｓおよび電源線Ｌｐを接続可能としている。
【００１５】
一方、カバー４は、モニタ２の表示面（前面）を前方から視認可能とするために透明な表示窓１５が前壁の左右中央部における上端寄りの位置に形成されており、表示窓１５の下方には小孔が多数形成されたスピーカ取付部１６と、回路ブロック８に設けた各スイッチＳＷを操作するための押し釦１７とが設けられている。さらに、カバー４において、スピーカ取付部１６の下方には回路ブロック８に設けたスイッチＳＷを操作するための操作ハンドル１８が配設され、表示窓１５の右上方にはマイク用孔１９が形成されている。ここで、表示窓１５の下方に配列された複数個の押し釦１７は、左右方向にそれぞれ４個、２個並ぶように２列に配列されており、回路ブロック８に設けられた各種操作用のスイッチＳＷにそれぞれ対応する。また、スピーカ取付部１６の下方の操作ハンドル１８は、回路ブロック８に設けられた通話用のスイッチＳＷに対応する。
【００１６】
カバー４の前壁背面におけるボディ側ボス１０に対応する各位置には、それぞれ組立ねじが螺合するねじ孔２０が形成されたカバー側ボス２１が立設されている。ここに、ボディ３とカバー４とは、ボディ３の前面にカバー４を覆着した状態でボディ側ボス１０の組立孔９を通して組立ねじをカバー側ボス２１のねじ孔２０に螺合させることにより互いに結合される。ここで、インターホン装置１は壁に取り付けられた状態で壁面からの高さ寸法が左右方向における中央部で最大となるように、カバー４の前面が左右方向において前方に凸となる湾曲形状に形成されている。
【００１７】
なお、本実施形態のインターホン装置１は、壁に固定される取付金具２２の引掛爪２３を、ボディ３の後壁に形成された引掛孔２４に引っ掛けることにより、ボディ３の後壁背面を壁面に対向させる形で壁に取り付けられる。さらに、インターホン装置１を設置する際には信号線Ｌｓおよび電源線Ｌｐをインターホン装置１に接続する必要がある。信号線Ｌｓおよび電源線Ｌｐは、壁内を通してインターホン装置１付近まで引き回され、壁に形成された施工孔（図示せず）および取付金具２２の挿通窓２５を通して信号端子部１１および電源端子部１３にそれぞれ接続される。
【００１８】
次に、器体５内の構成について説明する。器体５内には、上述したようにスピーカ６およびマイクロフォン７、さらにモニタ２と回路ブロック８とが収納される。スピーカ６およびマイクロフォン７は、カバー４の背面側においてスピーカ取付部１６およびマイク用孔１９に対応する各部位にそれぞれ固定される。回路ブロック８は、複数枚の回路基板（電源基板２６、制御基板２７）を備えている。電源基板２６は、ボディ側ボス１０に対応する各部位に組立ねじが挿通される透孔２８が貫設されており、ボディ３とカバー４とを結合した状態ではボディ側ボス１０とカバー側ボス２１との間に透孔２８の周囲が挟持される形で器体５内に固定される。
【００１９】
ここで、回路ブロック８の概略構成について図４を参照して説明する。
【００２０】
電源基板２６においては、電源線Ｌｐに接続され商用電源を直流電源に変換して各回路への電力供給を行う電源回路２９と、信号線Ｌｓを通して子機Ｂに電力供給する子機給電回路３０とを具備している。そのため、電源基板２６の背面側には、電源端子部１３が実装されている。電源端子部１３はねじを用いることなく電線を接続できる所謂速結端子であって、電源線Ｌｐを挿入するだけで電気的接続と機械的保持とが同時に完了する。ここに、電源回路２９は、電源基板２６の背面側における電源端子部１３の側方に電源基板２６の背面から突出する形で実装される電源トランス３１（図３参照）を有している。
【００２１】
また、電源基板２６においては、信号線Ｌｓの回線電圧に基づいて子機Ｂからの呼出を検出する子機呼出検出回路３２と、信号線Ｌｓの回線電圧に基づいて子機Ｂからの再呼出を検出する子機再呼出検出回路３３とを具備している。そのため、電源基板２６には信号端子部１１も実装されている。信号端子部１１は、電源基板２６の背面側における電源端子部１３の側方に実装されており、子機Ｂに接続された信号線Ｌｓが接続される。なお、子機Ｂとの通信以外の機能（たとえば別室に設置された副親機との通信や電気錠の施錠・解錠など）をインターホン装置１に付加した場合には、信号端子部１１はこれらの機能を実現するために必要な入出力部として用いられる。つまり、信号端子部１１には、子機Ｂに接続された信号線Ｌｓ以外の信号線Ｌｓも接続することができる。
【００２２】
さらにまた、電源基板２６は器体５内においてカバー４の前壁に沿って配置されるので、上述した複数個のスイッチＳＷを有した操作回路３４が設けられ、モニタ２も配設される。各スイッチＳＷは、電源基板２６の前面側において上述した各押し釦１７および操作ハンドル１８に対応する位置にそれぞれ実装される。モニタ２は、電源基板２６の前面のうち左右方向における中央部の上端寄りの位置に位置固定されており、ボディ３に電源基板２６が固定され且つボディ３にカバー４が結合された状態では、カバー４に形成されている表示窓１５を通して前方から視認可能な位置に位置固定される。
【００２３】
一方、制御基板２７は、スピーカ６への出力信号を増幅するスピーカアンプ３５と、マイクロフォン７からの入力信号を増幅するマイクアンプ３６と、マイクロフォン７で集音された送話信号と子機Ｂからの受話信号とを比較し信号レベルが高いほうの信号を通過させることにより送話状態と受話状態とを切り換える通話切換回路３７とを具備し、半二重の拡声通話（ハンズフリー通話）を実現している。
【００２４】
さらに本実施形態の制御基板２７は、子機Ｂからの映像信号を復調する復調回路３８と、当該映像信号を駆動信号（ここではＲＧＢ信号）に変換してモニタ２に送信しモニタ２の各画素を駆動することによりモニタ２に画像を表示するＬＣＤ駆動回路３９と、映像信号を記録する録画回路４０と、操作回路３４での操作入力を受けて各回路を制御するマイコン４１とを具備している。なお、制御基板２７は、図３に示すように主基板２７ａと副基板２７ｂとの２枚の回路基板で構成されており、主基板２７ａの背面側の一部に副基板２７ｂが対向する形で実装されている。このように制御基板２７を主基板２７ａと副基板２７ｂとに分けることで、制御基板２７に実装可能な部品点数を多くでき、また、音声系の回路と映像系の回路との一方を主基板２７ａに設け他方を副基板２７ｂに設けるようにすれば、音声系の回路と映像系の回路との間でノイズの影響を低減できる。
【００２５】
ここにおいて、ＬＣＤ駆動回路３９は、モニタ２の多数の画素のうち駆動する画素を切り替えるスイッチング動作などを行うため、少なくともモニタ２での画像表示に伴って発熱するスイッチング素子（半導体素子）等の発熱部品を有している。この発熱部品で発生する熱がモニタ２に伝わると、熱の影響でモニタ２の寿命が短くなるなどの不具合を生じる可能性がある。そこで、本実施形態では、制御基板２７とモニタ２との間に電源基板２６を介在させることにより、制御基板２７に実装された発熱部品で発生した熱のモニタ２への影響を低減している。
【００２６】
具体的に説明すると、本実施形態の制御基板２７は、図１に示すようにモニタ２との間に電源基板２６を介在させるように、電源基板２６におけるモニタ２が配置されている部位の背面側に配置される。つまり、制御基板２７および電源基板２６は、器体５内においてボディ３の後壁側から、制御基板２７、電源基板２６の順に並設される。この構成によれば、制御基板２７上の発熱部品で熱が発生しても、この熱は電源基板２６で遮断されることになりモニタ２に直接伝わることはないので、モニタ２に対する熱の影響が低減されることとなる。
【００２７】
しかも、制御基板２７は、電源基板２６におけるモニタ２が配置されている部位の背面側に配置されているので、ＬＣＤ駆動回路３９とモニタ２とは互いに近接し、モニタ２に表示される画像の画質の低下を抑制することができるという利点もある。すなわち、ＬＣＤ駆動回路３９からモニタ２までの距離が遠くなると、ＬＣＤ駆動回路３９からモニタ２に送信される駆動信号の減衰や駆動信号へのノイズの重畳が生じやすくなり、モニタ２に表示される画像の画質が低下するが、本実施形態の構成によれば、ＬＣＤ駆動回路３９が形成された制御基板２７とモニタ２とは、電源基板２６を介して電源基板２６の両面側にそれぞれ配置されているので、ＬＣＤ駆動回路３９とモニタ２とは互いに近接することとなり、モニタ２に表示される画像の画質の低下を抑制することができる。ここでは、モニタ２は電源基板２６の上端寄りの位置に配設されているので、制御基板２７とモニタ２とを電気的に接続するためにモニタ２から引き出された帯状の接続部材４２（図３参照）は電源基板２６の上方を通して制御基板２７の背面側に設けた接続手段４３（図３参照）に接続されることで、接続部材４２の引き回される距離を比較的短く抑えている。
【００２８】
また、電源基板２６に実装される電気部品の中で電源基板２６からの高さ寸法が最大となるのは一般に電源トランス３１であって、本実施形態の制御基板２７は、図１に示すように電源基板２６の背面側においてこの電源トランス３１の高さ寸法ｈ１内に収まるように配置される。すなわち、制御基板２７は、実装されている部品を含む電源基板２６からの高さ寸法ｈ２が電源トランス３１の高さ寸法ｈ１よりも小さく設定されており、電源基板２６の背面側において電源トランス３１との干渉を避けて配置されている。この構成によれば、制御基板２７は電源基板２６の背面側において電源基板２６からの高さ寸法が最大となる電源トランス３１の高さ寸法ｈ１内に生じた空きスペースに配置されることになるので、制御基板２７が設けられても電源基板２６からの電気部品の高さ寸法の最大値が電源トランス３１の高さ寸法ｈ１であることに変わりなく、電源基板２６のみを器体５内に収納した場合と比較しても器体５のサイズが大型化することはない。なお、電源基板２６の背面側には電源トランス３１以外に電源端子部１３および信号端子部１１等の部品も実装されているが、制御基板２７はこれらの部品との干渉も避けるように配置されている。
【００２９】
また、電源基板２６と制御基板２７とは互いに対向するように配置されているので、電源基板２６と制御基板２７との間で短絡が生じることを防止する合成樹脂製のフレーム４４が設けられており、このフレーム４４は、制御基板２７に覆着される形で電源基板２６と制御基板２７との間に配設されている。フレーム４４は、図２に示すように矩形板状の主板４４ａを有し、主板４４ａの周縁の全周から前後方向にそれぞれリブ４４ｂが立設された形状に形成されている。ここで、フレーム４４は電源基板２６と制御基板２７との間に隙間を形成するスペーサとしても機能しており、フレーム４４を設けることによって、制御基板２７上の発熱部品で発生する熱のモニタ２への影響を一層低減することができる。電源基板２６と制御基板２７との間の電気的接続は、フレーム４４の主板４４ａに貫設された接続孔４５を通して電源基板２６と制御基板２７との対向部位にそれぞれ設けた差込式の接続コネクタ４６ａ，４６ｂによって行う。なお、フレーム４４は、右上方の角部に組立ねじが挿通される透孔４７が貫設されており、ボディ３とカバー４とを結合した状態ではボディ側ボス１０とカバー側ボス２１との間に透孔４７の周囲が挟持される形で器体５内に固定される。
【００３０】
ところで、制御基板２７に実装されているスイッチング素子等は電磁ノイズの発生源にもなり得るので、この電磁ノイズからモニタ２を保護するためにモニタ２と電源基板２６との間には、電磁ノイズを遮断するシールドケースを設けることが望ましい。シールドケースを設けた場合には、電磁ノイズの影響でモニタ２の画像に生じるノイズを低減することができる。
【図面の簡単な説明】
【００３１】
【図１】本発明の実施形態の構成を示す断面図である。
【図２】同上の構成を示す前面側から見た分解斜視図である。
【図３】同上の構成を示す背面側から見た分解斜視図である。
【図４】同上の構成を示すブロック図である。
【図５】従来例を示す分解斜視図である。
【符号の説明】
【００３２】
１  インターホン装置
２  モニタ
５  器体
２６  電源基板
２７  制御基板
２９  電源回路
３１  電源トランス
３９  ＬＣＤ駆動回路
【図１】
2008172533.tif 000003
【図２】
2008172533.tif 000004
【図３】
2008172533.tif 000005
【図４】
2008172533.tif 000006
【図５】
2008172533.tif 000007